(57)【要約】【課題】本発明は感度の優れたセンサ装置を提供することを目的とする。【解決手段】本発明は、この課題を解決するために、ケース２３と、センサ３２と、ポッティング樹脂２４とを含んでいる。ケース２３は、壁４１と、壁４１と対向した壁４２を有している。センサ３２は、壁４２と対向した対向面３２Ａと、対向面３２Ａの反対の埋設面３２Ｂを有している。ポッティング樹脂２４は、埋設面３２Ｂを覆うようにして、ケース２３に充填されている。そして、対向面３２Ａは壁４２に当接されている。これにより、ポッティング樹脂２４が、対向面３２Ａと壁４２との間に進入することを抑制できる。【選択図】図３
2016082031.tif 000002
【特許請求の範囲】
【請求項１】
第１の壁と、前記第１の壁と対向した第２の壁とを有し、内部に収納空間が形成された樹脂製のケースと、
電子部品を含み、前記ケースに収納された信号処理回路と、
前記信号処理回路と電気的に接続され、前記第２の壁と対向して配置された第１の対向面と、前記第１の対向面の反対の第１埋設面とを有し、前記第１対向面が前記第２の壁に当接された状態で前記ケース内に収納された第１のセンサと、
前記第１埋設面を覆うように前記ケース内に充填されたポッティング樹脂と、を備えた、
センサ装置。
【請求項２】
前記ケースは、前記第１のセンサを支持する第１のガイド溝を有した、
請求項１に記載のセンサ装置。
【請求項３】
前記第１のガイド溝は、前記第２の壁から前記第１の壁に向かって幅が狭くなるように形成された傾斜面を含む、
請求項２に記載のセンサ装置。
【請求項４】
前記第１の壁と対向して配置された第２の対向面と、前記第２の対向面の反対に形成され、かつ前記ポッティング樹脂によって覆われた第２の埋設面とを含み、前記信号処理回路に電気的に接続された第２のセンサを、さらに備えた、
請求項１に記載のセンサ装置。
【請求項５】
前記第２のセンサは、
前記埋設面と、前記埋設面の反対の電極面と、前側面部と、前記前側面部の反対の後側面部とを有したプリント基板と、
前記第２の対向面を有し、前記第２の対向面の反対面で前記電極面と密着し、前記信号処理回路と電気的に接続された平板状のセンサ電極とを、含む、
請求項４に記載のセンサ装置。
【請求項６】
前記センサ電極は、前記電極面に配線されたプリントパターンによって形成された、
請求項５に記載のセンサ装置。
【請求項７】
前記ケースは、前記プリント基板の前記前側面部に当接した底部を有した、
請求項５に記載のセンサ装置。
【請求項８】
前記ケースは、前記第２の埋設面の周縁部を支持する第２のガイドを有した、
請求項５に記載のセンサ装置。
【請求項９】
前記第２の埋設面の前記周縁部は、前記第２のガイドに当接した、
請求項８に記載のセンサ装置。
【請求項１０】
前端部と、前記前端部の反対の後端部を有し、前記前端部が前記プリント基板の前記後側面部に当接するように、前記第１のセンサと前記第１の壁との間に配置されたアンテナを、さらに備えた、
請求項５に記載のセンサ装置。
【請求項１１】
前記アンテナは、前記前端部に前記プリント基板の前記後側面部と係合された切り欠きを有した、
請求項１０に記載のセンサ装置。
【請求項１２】
前記切り欠きは、前記プリント基板における前記埋設面の反対面と当接した当接部を有した、
請求項１１に記載のセンサ装置。
【請求項１３】
前記アンテナは、前記第１の壁に隣り合って設けられた側面を有し、
前記プリント基板と電気的に接続され、前記アンテナの前記側面と前記ケースとの間を通過するように配置されたリード線を、さらに備えた、
請求項１０に記載のセンサ装置。
【請求項１４】
前記ケースは、底部と前記底部の反対に開口部を有し、
前記アンテナの前記後端部に当接され、前記開口部を塞ぐ蓋を、さらに備えた、
請求項１０に記載のセンサ装置。
【請求項１５】
前記ケースは、底部と前記底部の反対に開口部を有し、
前記第１対向面を前記第２の壁に押し付けるように、前記第１埋設面に当接され、かつ前記開口部を塞ぐ蓋を、さらに備えた、
請求項１に記載のセンサ装置。
【請求項１６】
前記蓋は前記ポッティング樹脂に埋設された、
請求項１５に記載のセンサ装置。
【請求項１７】
前記第２対向面は、前記第１の壁に当接された、
請求項４に記載のセンサ装置。
【請求項１８】
外壁を含むドアハンドルケースと、
第１の壁と第２の壁を有したケースを含み、前記ドアハンドルケース内に収納された請求項１記載のセンサ装置と、を備えた、
ドアハンドル
【請求項１９】
前記ケースの第１の壁あるいは第２の壁は、前記ドアハンドルケースの前記外壁のすくなくとも一部を兼ねている、
請求項１８に記載のドアハンドル。
【発明の詳細な説明】
【技術分野】
【０００１】
本発明は、家屋や移動体装置のドアのハンドルなどの内に収納されたセンサ装置に関する。
【背景技術】
【０００２】
以下、従来のセンサ装置について説明する。従来のセンサ装置は、ケースと、処理回路と、プリント基板と、第１センサと、第２センサと、ポッティング樹脂を含んでいる。プリント基板は、第１面と、第１面の反対の第２面を含んでいる。第１センサは、プリント基板の第１面に設けられている。なお、第１センサはプリント導体によって形成された第１センサ電極によって形成されている。また、第２センサは第２センサ電極を含んでいる。処理回路は、プリント基板の第２面に実装された電子部品によって形成されている。第１センサと第２センサは、ともに処理回路と電気的に接続されている。
【０００３】
なお、ケースは、一面に開口を有したバスタブ状である。これらの第１センサと、第２センサと、プリント基板と、処理回路とは、ケース内に収納されている。そして、第１センサと、第２センサと、プリント基板と、処理回路とは、ポッティング樹脂内に埋設されている。すなわち、第１センサと第２センサはポッティング樹脂によって覆われている。
【０００４】
なお、この出願の発明に関連する先行技術文献情報としては、例えば、特許文献１が知られている。
【先行技術文献】
【特許文献】
【０００５】
【特許文献１】国際公開第２００９／０５１０８７号
【発明の概要】
【発明が解決しようとする課題】
【０００６】
しかしながら従来のセンサ装置は、第１センサ電極を覆うポッティング樹脂の厚みのばらつきや、第１センサ電極や第２センサ電極を覆うポッティング樹脂内のボイドの発生などにより、センサの感度が低下するという課題を有していた。
【０００７】
そこで本発明は、この問題を解決したもので、センサの感度を向上することが目的である。
【課題を解決するための手段】
【０００８】
この目的を達成するために、センサ装置は、内部に収納空間が形成された樹脂ケースと、信号処理回路と、第１のセンサと、ポッティング樹脂とを含んでいる。樹脂ケースは、第１の壁と、第２の壁とを有している。第２の壁は、第１の壁と対向して配置されている。信号処理回路は、樹脂ケースに収納されている。そして、ポッティング樹脂は、樹脂ケース内に充填されている。
【０００９】
第１のセンサは、信号処理回路と電気的に接続されている。また、第の１センサは、第１対向面と、第１埋設面とを有している。なお、第１対向面は、第２の壁と対向して配置されている。また、第１対向面は、第１センサにおいて、第１埋設面の反対に形成されている。
【００１０】
以上の構成において、ポッティング樹脂は、第１埋設面を覆っている。さらに、第１対向面が第２の壁に当接された状態でケース内に収納されている。これにより所期の目的を達成することができる。
【発明の効果】
【００１１】
以上のように本発明によれば、第１対向面が第２の壁に当接されているので、ポッティング樹脂が、第１対向面と第２の壁との間に進入することを抑制できる。したがって、第１対向面と第２の壁との間の距離がばらつくことを抑制できる。その結果、センサの感度のバラツキを小さくできる。また、第１対向面と第２の壁との間にボイドが発生することも抑制できる。その結果、センサの感度を向上することができる。さらにまた、第１対向面と第２の壁との間に水などが浸入することを抑制できる。
【図面の簡単な説明】
【００１２】
【図１】本発明の実施の形態におけるセンサ装置の斜視図。
【図２】本発明の実施の形態におけるセンサ装置の分解斜視図。
【図３】本発明の実施の形態におけるセンサ装置の断面図。
【図４】本発明の実施の形態におけるセンサユニットの斜視図。
【図５】本発明の実施の形態におけるケースの断面図。
【図６】本発明の実施の形態におけるセンサユニットの側面図。
【図７】本発明の実施の形態におけるセンサユニットの下面図。
【図８】本発明の実施の形態におけるセンサ装置の要部断面図。
【図９】本発明の実施の形態におけるセンサ装置の要部拡大断面図。
【図１０】本発明の実施の形態におけるセンサ装置の要部断面図。
【図１１】本発明の実施の形態におけるセンサ装置の要部拡大断面図。
【図１２】本発明の実施の形態におけるドアハンドルの断面図。
【発明を実施するための形態】
【００１３】
以下本実施の形態におけるセンサ装置について説明する。
【００１４】
（実施の形態１）
以下、センサ装置２１について図面を用いて説明する。図１は、センサ装置２１の斜視図である。図２は、センサ装置２１の分解斜視図である。図３は、センサ装置２１の断面図である。図４は、センサユニット２２の斜視図である。なお、図３は、図１における断面線３−３でセンサ装置２１を切断した状態を示している。
【００１５】
図２に示すように、センサ装置２１は、センサユニット２２と、樹脂製のケース２３と、図３に示すポッティング樹脂２４とを含んでいる。センサユニット２２は、信号処理回路３１と、センサ３２を含んでいる。信号処理回路３１は、電子部品を含んでいる。また、信号処理回路３１は、ケース２３内に収納されている。そして、ポッティング樹脂２４が、ケース２３の中に充填されている。
【００１６】
図５はケース２３の断面図である。なお、図５は、図１における断面線３−３でケース２３を切断した状態を示している。樹脂製のケース２３は、内部に図２に示すセンサユニット２２を収納する収納空間２３Ａを含んでいる。ケース２３は、壁４１と、壁４２とを有している。壁４２は、壁４１と対向して配置されている。さらに、ケース２３は壁４２と壁４１との間を連結する側面４８を含む。すなわち側面４８は、壁４２や壁４１に隣り合うように配置されている。また、ケース２３は、一方の端に底部４４を有しても良い。さらにケース２３は、底部４４の反対に開口部４５を有しても良い。この場合、ケース２３の形状は、筒状であり、底部４４側が閉じられている。
【００１７】
図６は、センサユニット２２の側面図である。図７は、センサユニット２２の下面図である。センサ３２は、信号処理回路３１と電気的に接続されている。センサ装置２１は、プリント基板６１を含んでも良い。この場合、信号処理回路３１は、プリント基板６１に、複数の電子部品３１Ａを実装することによって形成できる。また、センサ３２は、対向面３２Ａと、図２に示す埋設面３２Ｂとを有している。なお、対向面３２Ａは、図５に示す壁４２と対向して配置されている。一方、対向面３２Ａは、センサ３２において、図２に示す埋設面３２Ｂの反対に形成されている。そして、図３に示すポッティング樹脂２４は、図２に示す埋設面３２Ｂを覆っている。さらに、対向面３２Ａが図５に示す壁４２に当接された状態でケース２３内に収納されている。
【００１８】
以上のような構成により、対向面３２Ａを図５に示す壁４２に当接しているので、図３に示すポッティング樹脂２４が、対向面３２Ａと図５に示す壁４２との間に進入することを抑制できる。したがって、対向面３２Ａと図５に示す壁４２との間の距離がばらつくことを抑制できる。その結果、センサ３２の感度のバラツキを小さくできる。また、対向面３２Ａと図５に示す壁４２との間にボイドが発生することも抑制できる。その結果、センサ３２の感度を向上することができる。さらにまた、対向面３２Ａと図５に示す壁４２の間に水などが浸入することを抑制できる。したがって、図３に示すセンサ装置２１は、雨水などに曝される自動車のドアハンドル内に収納できる。
【００１９】
以下、センサ装置２１についてさらに詳しく説明する。図２に示すように、ケース２３を図に示す壁４１から見た場合の形状は、長細い長方形である。図５に示すように、ケース２３は、底部４４と開口部４５を含んでいる。開口部４５は、底部４４の反対に形成されている。そして、図４に示すセンサユニット２２は、開口部４５から収納空間２３Ａへと挿入されている。なお、図３に示すように、センサ装置２１は、蓋を含むことが好ましい。この場合、開口部４５は、図３に示す蓋２５によって、塞がれている。すなわち、収納空間２３Ａは、ケース２３と図３に示す蓋２５によって囲まれる。そして図３に示すポッティング樹脂２４は、収納空間２３Ａに充填されている。この構成により、図３に示すように、センサユニット２２は、ポッティング樹脂２４内に埋設されている。なお、蓋２５は、ポッティング樹脂２４内に埋設されていることが好ましい。この構成により、ケース２３内に水などが浸入することを抑制できる。したがって、図７に示す対向面３２Ａと図５に示す壁４２の間に水などが浸入することを抑制できる。
【００２０】
図７に示すように、センサ３２は、第１センサ電極５１と、第２センサ電極５２を含んでいる。第１センサ電極５１と第２センサ電極５２は、並んで配置されている。すなわち、第１センサ電極５１の側面と、第２センサ電極５２の側面との間に、隙間５３を有している。第１センサ電極５１と第２センサ電極５２との間に規定の静電容量を有している。信号処理回路３１は、発振信号を発生して、第１センサ電極５１あるいは第２センサ電極５２へと供給している。
【００２１】
以上のような構成により、第１センサ電極５１や第２センサ電極５２に、導電性物質（図示せず）が近づくと、第１センサ電極５１と第２センサ電極５２との間の静電容量が、変化する。その結果、信号処理回路３１で発生した発振信号の周波数あるいは、レベルが変化する。そこで、信号処理回路３１は、発振信号の周波数あるいはレベルの変化を検知することにより、第１センサ電極５１と第２センサ電極５２に対して導電性物質が近づいたことを検知できる。
【００２２】
そこで、図１に示すセンサ装置２１は、たとえば自動車のような移動体装置のドアハンドル内に収納できる。この場合、検知すべき導電性物質は、たとえば人の手である。図７に示すセンサ３２は、たとえばアンロックセンサとして用いてもよい。そして、センサ３２で人の手の接近を検知した場合に、信号処理回路３１はドアの解錠を指示するための信号を出力する。なお、センサ３２は、アンロックセンサとして用いることに限られず、たとえばロックセンサとして用いてもよい。この場合、センサ３２で人の手の接近を検知すると、信号処理回路３１はドアの施錠を指示するための信号を出力している。
【００２３】
第１センサ電極５１や第２センサ電極５２は、板状の金属によって形成できる。この場合、第１センサ電極５１や第２センサ電極５２は、たとえばステンレスなどを用いることが好ましい。さらに、第１センサ電極５１や第２センサ電極５２の表面に、スズ、ニッケル合金によるめっき層が形成されていることが好ましい。この構成により、水や湿度などによる第１センサ電極５１や第２センサ電極５２の腐食の発生を抑制できる。したがって、センサ３２の感度が変化することを抑制できる。したがって、図１に示すセンサ装置２１は、雨水などに曝される自動車のドアハンドル内に収納できる。第１センサ電極５１や第２センサ電極５２は、ステンレスに限られず、たとえばりん青銅などの銅合金であっても良い。
【００２４】
また、図３に示すポッティング樹脂２４は、図７に示す隙間５３にも充填されていることが好ましい。図３に示すポッティング樹脂２４の比誘電率は約４であるので、図７に示す第１センサ電極５１と第２センサ電極５２との間の静電容量を大きくできる。したがって、図１に示すセンサ３２の感度を向上することができる。
【００２５】
なお、図７に示す第１センサ電極５１や第２センサ電極５２は、板状の金属によって形成した構成に限られず、プリント基板（図示せず）上に形成されたプリントパターンによって形成してもかまわない。この構成により、第１センサ電極５１や第２センサ電極５２との間に隙間５３を設ける必要がないので、さらに、図１に示すポッティング樹脂２４が、図７に示す対向面３２Ａと図５に示す壁４２との間に進入することを抑制できる。
【００２６】
図８は、センサ装置２１の要部断面図である。なお、図８は、図１に示す断面線８−８においてセンサ装置２１を切断した状態を示している。図５に示すように、ケース２３はガイド溝４３を含むことが好ましい。なお、ガイド溝４３は、図７に示すセンサ３２の幅方向の両端部を支持していることが好ましい。そのために、ガイド溝４３は、傾斜面４３Ａを含むことが好ましい。なお、傾斜面４３Ａ間の幅は、図５に示す壁４２側から壁４１に向かって狭くなるように傾斜している。さらに、傾斜面４３Ａは、図７に示す第１センサ電極５１における埋設面３２Ｂの外周端に当接されていることが好ましい。この構成により、図７に示す第１センサ電極５１の反りを矯正できる。したがって、さらに、図６に示す対向面３２Ａと図５に示す壁４２との間に隙間が発生することを抑制できる。その結果、さらに、図３に示すポッティング樹脂２４が、図６に示す対向面３２Ａと図５に示す壁４２との間に進入することを抑制できる。
【００２７】
図９は、センサ装置の要部拡大断面図である。蓋２５は、埋設面３２Ｂに当接していることが好ましい。さらに、蓋２５は、図７に示す対向面３２Ａを壁４２へと押し付けていることが好ましい。この構成により、センサ３２と壁４２との間に隙間が発生することを抑制できる。したがって、さらに、図３に示すポッティング樹脂２４が、センサ３２と壁４２との間に進入することを抑制できる。また、図７に示す対向面３２Ａと壁４２の間に水などが浸入することも抑制できる。
【００２８】
図３に示すように、蓋２５は、第１爪２５Ａと、第２爪２５Ｂを含むことが好ましい。第１爪２５Ａは、壁４１に沿うように形成されている。一方、第２爪２５Ｂは、壁４２に沿うように形成されている。なお、第１爪２５Ａと、第２爪２５Ｂは弾性力によって、ケース２３に保持されている。さらに、第１爪２５Ａと第２爪２５Ｂは、係止突起２５Ｃを含むことが好ましい。この場合、壁４１と壁４２に、穴４６を設ける。そして、係止突起２５Ｃを穴４６に係合することによって、蓋２５をケース２３に固定できる。そして、蓋２５をポッティング樹脂２４内に埋設することにより、蓋２５と図６に示す埋設面３２Ｂとが当接した状態を維持できる。
【００２９】
センサ装置２１は、さらにセンサ３３含んでも良い。なお、センサ装置２１は、センサ３２と、センサ３３を含む構成に限られず、センサ３３のみを含む構成でもかまわない。図６に示すように、センサ３３は、図７に示す対向面３３Ａと、図２に示す埋設面３３Ｂを含んでいる。センサ３３は、信号処理回路３１と電気的に接続されている。図７に示す対向面３３Ａは、壁４１と対向して配置されている。なお、図２に示す埋設面３３Ｂは、図７に示す対向面３３Ａの反対に形成されている。そして、図２に示す埋設面３３Ｂは、ポッティング樹脂によって覆われている。この構成により、図７に示す対向面３３Ａと壁４１とが対向しているので、図７に示す対向面３３Ａと壁４１との間に図３に示すポッティング樹脂が流れ込むことを抑制できる。
【００３０】
なお、図７に示す対向面３３Ａと壁４１との間の距離は、図３に示すポッティング樹脂が入り込まない程度の寸法であることが好ましい。さらには、図７に示す対向面３３Ａは、壁４１に当接していることが好ましい。これらの構成により、さらに図７に示す対向面３３Ａと壁４１との間に図３に示すポッティング樹脂が流れ込むことを抑制できる。
【００３１】
センサ３３は、プリント基板６１と、一対のセンサ電極６２とを含むことが好ましい。プリント基板６１の一方の面に、埋設面３３Ｂが形成されている。そして、プリント基板６１の埋設面３３Ｂの反対に、電極面６１Ａが形成されている。センサ電極６２は、信号処理回路３１と電気的に接続されたている。センサ電極６２は、対向面３３Ａを有し、かつ、対向面３３Ａの反対面で電極面６１Ａと密着している。そして、センサ電極６２は、平板状であることが好ましい。センサ電極６２は、たとえばステンレスなどの金属板によって形成できる。このような構成により、対向面３３Ａを平坦とできるので、対向面３３Ａと壁４１との間の距離を小さくできる。したがって、さらに対向面３３Ａと図５に示す壁４１との間に図３に示すポッティング樹脂が流れ込むことを抑制できる。
【００３２】
なお、センサ電極６２は、金属板によって形成する構成に限られず、プリントパターン６２Ａによって形成しても良い。この場合、センサ電極６２は、プリント基板６１における電極面６１Ａに配線されることによって形成されている。プリントパターン６２Ａは銅箔であるので、非常に薄い。したがって、電極面６１Ａと壁４１との間の距離を小さくできる。その結果、電極面６１Ａと図５に示す壁４１との間に、図３に示すポッティング樹脂が流れ込むことを抑制できる。さらに、センサ電極６２の外周端は、プリント基板６１の外周から離れた位置に配置するとよい。この構成により、図３に示すポッティング樹脂が、センサ電極６２と壁４１との間に流れ込むことを抑制できる。さらに、センサ電極６２は、レジストインク（図示せず）によって覆われていることが好ましい。この構成により、センサ電極６２の腐食を抑制できる。
【００３３】
また、センサ電極６２は、プリント基板６１に密着した構成に限られず、プリント基板６１から離れて配置されていても良い。また、センサ電極６２は、平板状に限られず、適宜折れ曲がっていても良い。そしてこれらの場合、センサ電極６２は、埋設面３３Ｂと対向面３３Ａを含むことが好ましい。
【００３４】
以上のような構成により、一対のセンサ電極６２に、導電性物質（図示せず）が近づくと、一対のセンサ電極６２の静電容量が、変化する。その結果、信号処理回路３１は、一対のセンサ電極６２に対して導電性物質が近づいたことを検知できる。そこで、センサ３３は、たとえばロックセンサとして用いてもよい。そして、センサ３３で人の手の接近を検知した場合に、信号処理回路３１はドアの施錠を指示するための信号を出力する。なお、センサ３３は、ロックセンサとして用いることに限られず、たとえばアンロックセンサとして用いてもよい。
【００３５】
プリント基板６１は、前側面部６１Ｂと、後側面部６１Ｃとを含んでいる。なお、後側面部６１Ｃは、前側面部６１Ｂの反対に形成されている。そして、プリント基板６１の前側面部６１Ｂは、図５に示す底部４４に当接することが好ましい。この構成により、図３に示すポッティング樹脂２４が、前側面部６１Ｂ側から電極面６１Ａへと回り込むことを抑制できる。
【００３６】
ケース２３は、ガイド４７を含むことが好ましい。ガイド４７は、プリント基板６１における埋設面３３Ｂの周縁部を支持している。この構成により、図３に示すポッティング樹脂２４が、埋設面３３Ｂの周縁部から電極面６１Ａへと回り込むことを抑制できる。なお、埋設面３３Ｂの前記周縁部は、ガイド４７に当接しても良い。
【００３７】
図１０は、センサ装置２１の要部断面図である。図１１は、センサ装置２１の要部拡大断面図である。なお、図１０は、図１における断面線１０−１０でセンサ装置を切断した状態を示している。センサ装置２１は、さらにアンテナ２６を含んでも良い。アンテナ２６は、センサ３２と壁４１との間に配置されている。アンテナ２６は、磁性体２６Ａと、導線２６Ｂを含んでいる。そして、導線２６Ｂは、磁性体２６Ａに巻き回されている。アンテナ２６は、たとえばＦＭ帯の周波数信号を送信している。
【００３８】
アンテナ２６は、前端部２６Ｃと、後端部２６Ｄを含んでいる。なお、後端部２６Ｄは、磁性体２６Ａにおいて、前端部２６Ｃの反対に設けられている。そして、前端部２６Ｃは、プリント基板６１の後側面部６１Ｃに当接していることが好ましい。そのために、蓋２５をアンテナ２６の後端部２６Ｄに当接していることが好ましい。この構成により、ポッティング樹脂２４が、前端部２６Ｃと後側面部６１Ｃとの間を通って、電極面６１Ａと図５に示す壁４１との間に流れ込むことを抑制できる。
【００３９】
なお、アンテナ２６は、送信用に限られず受信用、あるいは送信と受信用を兼ねていてもかまわない。また、アンテナ２６は、ＦＭ用ではなくＡＭ用あるいはＲＦ用であっても良い。また、アンテナ２６は、前端部２６Ｃに切り欠き２６Ｅを含むことが好ましい。そして、切り欠き２６Ｅは、後側面部６１Ｃと係合する。さらに、切り欠き２６Ｅは、
当接部２６Ｆを含むことが好ましい。この場合、当接部２６Ｆは、埋設面３３Ｂの反対面でプリント基板６１に当接していることが好ましい。この場合、ケース２３は、壁４１の内面に突起２３Ｂを設けることが好ましい。そして、突起２３Ｂをアンテナ２６の前端部２６Ｃに当接する。この構成により、埋設面３３Ｂとガイド４７との間に隙間を小さくできる。その結果、図３に示すポッティング樹脂２４が、電極面６１Ａへ回りこむことを抑制できる。なお、突起２３Ｂは、磁性体２６Ａに当接することが好ましい。この構成により突起２３Ｂが導線２６Ｂに当接することを抑制できるので、リード線２７の変形の発生を抑制できる。したがって、アンテナ２６の受信特性が変化することを抑制できる。
【００４０】
センサ装置２１は、さらにリード線２７を含んでも良い。リード線２７は、プリント基板６１と電気的に接続されている。そして、リード線２７は、アンテナ２６の側面とケース２３の側面４８との間を通過するように配置されている。この構成により、リード線２７が配線される位置を規制できる。
【００４１】
図１２は、ドアハンドル１０１の断面図である。ドアハンドル１０１は、ドアハンドルケース１０２とセンサ装置２１を含んでいる。なおドアハンドルケース１０２は、外側ドアハンドルケース１０２Ａと、内側ドアハンドルケース１０２Ｂを含んでいる。外側ドアハンドルケース１０２Ａは、ドアハンドル１０１を非装着物に装着された状態で、表側に面している。一方、内側ドアハンドルケース１０２Ｂは、ドアハンドル１０１を非装着物に装着された状態で、裏側に面している。すなわち、内側ドアハンドルケース１０２Ｂは、ドアハンドル１０１を操作する操作者に対して、隠れるように配置されている。なお、非装着物は、たとえば自動車などの車体である。
【００４２】
以上の構成において、ドアハンドルケース１０２は、ケース２３を含んでいる。この場合、ケース２３はドアハンドルケースと一体に形成することが好ましい。すなわち、図３に示すケース２３の壁４１あるいは壁４２は、ドアハンドルケース１０２の外壁を兼ねている。この構成により、ドアハンドル壁とケース２３の壁４１あるいは壁４２とが２重に重ならない。したがって、センサ３２あるいはセンサ３３と手との距離を近くできる。その結果、さらにセンサ３２あるいはセンサ３３の感度が向上できる。さらに、別途ケース２３を準備する必要がないので、ドアハンドルを安くできる。
【００４３】
ケース２３は、内側ドアハンドルケース１０２Ｂに含まれても良い。この場合、図３に示す壁４２の外面は、ハンドルケース１０１から外部へ露出している。さらに、図３に示す壁４１の外面は、外側ハンドルケース１０１Ａから外部へ露出していても良い。なお、図３に示す壁４２の外面がハンドルケース１０１から露出した構成に限られず、図３に示す壁４２の外面を外側ハンドルケース１０１Ａから外部へ露出していても良い。この場合、図３に示す壁４１の外面を内側ハンドルケース１０１Ｂから外部へ露出しても良い。
【００４４】
なお、ケース２３は、内側ドアハンドルケース１０２Ｂに含まれる構成に限られず、外側ドアハンドルケース１０２Ａに含まれても良い。この場合、図３に示す壁４１においてセンサ３３が収納された箇所の外面は、外側ハンドルケース１０１Ａから外部へ露出している。さらに、図３に示す壁４２の外面は、内側ハンドルケース１０１Ｂから外部へ露出していても良い。なお、図３に示す壁４１の外面がハンドルケース１０１から露出した構成に限られず、図３に示す壁４２の外面を外側ハンドルケース１０１Ａから外部へ露出していても良い。この場合、図３に示す壁４１の外面を内側ハンドルケース１０１Ｂから外部へ露出しても良い。
【産業上の利用可能性】
【００４５】
本発明にかかるセンサ装置は、センサの感度が優れるという効果を有し、自動車などのドアハンドル等に用いると有用である。
【符号の説明】
【００４６】
２１  センサ装置
２２  センサユニット
２３  ケース
２３Ａ  収納空間
２３Ｂ  突起
２４  ポッティング樹脂
２５  蓋
２５Ａ  第１爪
２５Ｂ  第２爪
２５Ｃ  係止突起
２６  アンテナ
２６Ａ  磁性体
２６Ｂ  導線
２６Ｃ  前端部
２６Ｄ  後端部
２６Ｅ  切り欠き
２６Ｆ  当接部
２７  リード線
３１  信号処理回路
３１Ａ  電子部品
３２  センサ
３２Ａ  対向面
３２Ｂ  埋設面
３３  センサ
３３Ａ  対向面
３３Ｂ  埋設面
４１  壁
４２  壁
４３  ガイド溝
４３Ａ  傾斜面
４４  底部
４５  開口部
４６  穴
４７  ガイド
４８  側面
５１  第１センサ電極
５２  第２センサ電極
５３  隙間
６１  プリント基板
６１Ａ  電極面
６１Ｂ  前側面部
６１Ｃ  後側面部
６２  センサ電極
６２Ａ  プリントパターン
１０１  ドアハンドル
１０２  ドアハンドルケース
１０２Ａ  外側ドアハンドルケース
１０２Ｂ  内側ドアハンドルケース
【図１】
2016082031.tif 000003
【図２】
2016082031.tif 000004
【図３】
2016082031.tif 000005
【図４】
2016082031.tif 000006
【図５】
2016082031.tif 000007
【図６】
2016082031.tif 000008
【図７】
2016082031.tif 000009
【図８】
2016082031.tif 000010
【図９】
2016082031.tif 000011
【図１０】
2016082031.tif 000012
【図１１】
2016082031.tif 000013
【図１２】
2016082031.tif 000014